(57)【特許請求の範囲】
【請求項１】
遊技台上を水平方向に一側から他側へ往復移動する可動部材と、
前記可動部材を移動させる駆動手段と、
前記可動部材の接続部と前記遊技台の接続部とを接続する配線部材とを有する遊技機において、
前記配線部材は前記可動部材側に固定された第一の固定部と、前記遊技台側に固定された第二の固定部と、前記第一の固定部と第二の固定部との間の円弧状折返部とを形成するとともに前記可動部材の接続部と前記遊技台の接続部とを接続し、前記可動部材の移動時には前記円弧状折返部を介して前記可動部材の移動方向に対して平行方向に移動するように配置されているとともに、
前記配線部材の円弧状折返部の前記第一の固定部側への拡大を規制する規制部材が形成されていることを特徴とする遊技機。
【請求項２】
前記第二の固定部が前記可動部材の移動時における配線部材の円弧状折返部に関与しない部分であることを特徴とする請求項１に記載の遊技機。
【請求項３】
前記第一の固定部に前記規制部材が取り付けられていることを特徴とする請求項１又は２に記載の遊技機。
【請求項４】
前記規制部材が前記第一の固定部へ向けて下り傾斜した傾斜状規制部を有することを特徴とする請求項３に記載の遊技機。
【発明の詳細な説明】
【技術分野】
【０００１】
この発明は、パチンコ遊技機等の遊技機に関する。
【背景技術】
【０００２】
一般に、パチンコ遊技機等の遊技機では、図柄表示装置において当否判定図柄やキャラクタ等の各種演出図柄等を適宜の態様で表示したり、大当たり等の遊技態様に応じて各種ランプ表示器等の発光体を点滅表示させたり、遊技盤上に設けられた風車や各入賞口等の各種役物を適宜の駆動手段を用いて駆動させたりする等、遊技実行中に遊技者の興趣を高める等のために様々な演出が行われる。
【０００３】
従来の遊技機では、駆動手段により扉等の可動部材（駆動役物）を駆動させて遊技の演出を実行する遊技機が知られている（例えば、特許文献１参照。）。このような遊技機においては、より遊技の興趣を高めるために、適宜の発光部材等が遊技台（遊技枠体）や可動部材等に取り付けられている。
【０００４】
しかるに、可動部材に発光部材等が取り付けられた場合、可動部材は遊技台に設けられた基板等の他部材と発光部材等に信号を送信するための適宜の配線を用いて接続される。しかしながら、可動部材は遊技の演出に伴って頻繁に移動（可動）を繰り返すものであるため、配線は移動時に可動部材と基板等の他部材との接続状態が解除されないように十分に余裕を持たせた長さで構成されている。そのため、可動部材の移動時には、その位置によって配線に余剰部分が生じてしまい、配線が可動部材等の他部材や遊技枠体の出っ張り部分等に接触したり引っ掛かったりして破損するおそれがあった。
【先行技術文献】
【特許文献】
【０００５】
【特許文献１】特開２００８−２００３０６号公報
【発明の概要】
【発明が解決しようとする課題】
【０００６】
本発明は前記の点に鑑みなされたものであり、可動部材を移動させた際に接続された配線部材が破損する不具合を抑制することができる遊技機を提供するものである。
【課題を解決するための手段】
【０００７】
すなわち、請求項１の発明は、遊技台上を水平方向に一側から他側へ往復移動する可動部材と、前記可動部材を移動させる駆動手段と、前記可動部材の接続部と前記遊技台の接続部とを接続する配線部材とを有する遊技機において、前記配線部材は前記可動部材側に固定された第一の固定部と、前記遊技台側に固定された第二の固定部と、前記第一の固定部と第二の固定部との間の円弧状折返部とを形成するとともに前記可動部材の接続部と前記遊技台の接続部とを接続し、前記可動部材の移動時には前記円弧状折返部を介して前記可動部材の移動方向に対して平行方向に移動するように配置されているとともに、前記配線部材の円弧状折返部の前記第一の固定部側への拡大を規制する規制部材が形成されていることを特徴とする遊技機に係る。
【０００８】
請求項２の発明は、前記第二の固定部が前記可動部材の移動時における配線部材の円弧状折返部に関与しない部分であることを特徴とする請求項１に記載の遊技機に係る。
【０００９】
請求項３の発明は、前記第一の固定部に前記規制部材が取り付けられていることを特徴とする請求項１又は２に記載の遊技機に係る。
【００１０】
請求項４の発明は、前記規制部材が前記第一の固定部へ向けて下り傾斜した傾斜状規制部を有することを特徴とする請求項３に記載の遊技機に係る。
【発明の効果】
【００１１】
請求項１の発明に係る遊技機は、遊技台上を水平方向に一側から他側へ往復移動する可動部材と、前記可動部材を移動させる駆動手段と、前記可動部材の接続部と前記遊技台の接続部とを接続する配線部材とを有する遊技機において、前記配線部材は前記可動部材側に固定された第一の固定部と、前記遊技台側に固定された第二の固定部と、前記第一の固定部と第二の固定部との間の円弧状折返部とを形成するとともに前記可動部材の接続部と前記遊技台の接続部とを接続し、前記可動部材の移動時には前記円弧状折返部を介して前記可動部材の移動方向に対して平行方向に移動するように配置されているとともに、前記配線部材の円弧状折返部の前記第一の固定部側への拡大を規制する規制部材が形成されているため、可動部材を可動させた際に配線部材の他の部材との接触を容易に回避することができ、配線部材が破損する不具合を抑制することができる。
【００１２】
請求項２の発明は、請求項１において、前記第二の固定部が前記可動部材の移動時における配線部材の円弧状折返部に関与しない部分であるため、配線部材の絡まり等の不具合の発生を抑制することができる。
【００１３】
請求項３の発明は、請求項１又は２において、前記第一の固定部に前記規制部材が取り付けられているため、規制部材の設置スペースの省スペース化を図ることができる。
【００１４】
請求項４の発明は、請求項３において、前記規制部材が前記第一の固定部へ向けて下り傾斜した傾斜状規制部を有するため、規制部材を小型に形成した場合でも円弧状折返部の拡大を効果的に規制することができる。
【図面の簡単な説明】
【００１５】
【図１】本発明の一実施例に係る遊技機の正面図である。
【図２】遊技盤の正面図である。
【図３】遊技台に取り付けられた可動役物の可動部材が開状態の斜視図である。
【図４】遊技台に取り付けられた可動役物の可動部材が閉状態の斜視図である。
【図５】可動部材が開状態時の配線部材の状態を表した要部斜視図である。
【図６】可動部材が閉状態時の配線部材の状態を表した要部斜視図である。
【図７】規制部材と配線部材の移動状態との関係を表した要部断面図である。
【図８】他の実施例に係る規制部材と配線部材の移動状態との関係を表した要部断面図である。
【発明を実施するための形態】
【００１６】
図１，２に示す実施例の遊技機１は、この発明の一実施形態に係るパチンコ遊技機（弾球遊技機）である。遊技機１では、遊技台（遊技枠体）２の内側に遊技盤３が着脱交換可能に収容されており、その遊技盤３に遊技球（遊技媒体）の内側ガイドレール４及び外側ガイドレール５が略円形に立設され、前記内側ガイドレール４によって囲まれて遊技球が流下可能な遊技領域６に、遊技球の入賞可能な入賞領域である入賞口等の役物が設けられている。図において、符号７は遊技盤３に備えられた釘である。
【００１７】
まず、遊技領域６の中心線上に設けられた表示装置９の下方に、普通電動役物である始動入賞口１０が配設され、始動入賞口１０の下方には特別電動役物である遊技特典付与装置として大入賞装置（大入賞口とも称される。）１５、その下方にはアウト口１７が配設されている。また、表示装置９の両側には普通図柄変動開始用左ゲート１９，２１、その下方に風車２２，２２が設けられており、その下方に袖入賞口２３，２５が配設され、さらには前記大入賞装置１５の左側に落とし入賞口２７，２９が配設されている。この実施例において、始動入賞口１０は、遊技領域６を流下する遊技球を受け入れ可能とすると共に、その入球（入賞）に起因して特別遊技状態（大当たり状態）に移行するか否かの判定を開始するための入球口に相当する。
【００１８】
また、遊技機１の前面側には、遊技状態を報知する枠飾りランプ３５，３６、払い出された遊技球を受けるための上側球受け皿３２、上側球受け皿３２の飽和時に遊技球を受けるための下側球受け皿３４、音声や効果音を発して遊技状態を遊技者に報知するスピーカ３７、遊技者の遊技操作によって適宜の演出等を操作可能な操作手段６０、遊技者による操作ハンドルＨ１（操作手段）の発射操作に応じて遊技球を遊技領域６に向けて弾発発射する発射装置Ｈ等がそれぞれ組み付けられている。
【００１９】
図中の表示装置９（図柄表示手段、判定結果報知手段等を兼ねる。）において、符号４３は数字，アルファベット，記号あるいは絵（キャラクタ）等の図柄を変動表示及び停止表示（最終的に確定表示する前の仮停止表示を含む、以下同じ）可能な図柄表示装置、４９はセンター飾りを有する表示装置９の窓枠部、５０は図柄表示装置４３の液晶表示器（ＴＦＴ−ＬＣＤモジュール）等からなる表示領域である。また、表示領域５０は、特別図柄の変動中に、該特別図柄に加えて背景（建物、風景等）、キャラクタ（人物、動物、植物、物等）、文字等の装飾図柄を表示し、該装飾図柄は前記特別図柄の変動開始等の所定始動条件に起因して変動表示可能となっている。図柄表示装置４３については、表示領域５０が前記したように液晶表示器に限られるものではなく、有機ＥＬ、ＣＲＴ、その他の表示手段で構成されていてもよい。
【００２０】
この実施例の表示領域５０は、横に並ぶ左特別図柄表示部、中特別図柄表示部、右特別図柄表示部で構成される図柄表示部を有し、それぞれの図柄表示部で判定図柄（当否判定情報）である特別図柄が変動表示及び停止表示される。加えて、表示領域５０には普通図柄表示部（図示せず）が設けられており、普通図柄が変動表示及び停止表示可能とされている。また、表示領域５０には、特別図柄等に加えて背景画像（キャラクタ，背景，文字等を含む。）が表示されることもあり、背景画像が特別図柄の変動開始等の所定条件に起因して変動表示可能となっている場合もある。なお、この実施例において表示領域５０に表示される左、中、右特別図柄は、各々『０，１，２，３，４，５，６，７，８，９，１０，１１』の１２通りの数字からなる図柄である。なお、図示しないが、表示領域５０は、特別図柄保留記憶数表示部、普通図柄表示部、普通図柄変動数記憶領域を有する。
【００２１】
遊技盤３の背面（裏面）には、入賞口への遊技球の入賞を検出する入賞口用検出スイッチ（遊技球検出手段に相当する。）等が設けられている。この実施例では、検出スイッチが各入賞口に対してそれぞれ設けられている。始動入賞口１０に入賞（入球口に入球）した遊技球を検出する特別図柄変動開始スイッチは入賞球の通路に設けられており、入賞球の検出によって図柄表示装置４３の図柄変動は開始される。その際、特別図柄変動中に始動入賞口１０に入賞した遊技球の個数、すなわち特別図柄の変動を開始する回数については、現在変動中のものを除いて保留回数（この例では最高４回）を特別図柄保留記憶数表示部に表示し、記憶数の減少によって前記表示部内の特別図柄保留記憶数の表示個数を減らす。その他、袖入賞口２３，２５及び落とし入賞口２７，２９の入賞球を検出する各袖入賞口用検出スイッチが、それぞれ対応する遊技盤３背面に設けられている。
【００２２】
前述のとおり、始動入賞口１０に入賞した遊技球を検出する特別図柄変動開始スイッチ（始動入賞口センサ）が入賞球用通路に設けられており、前記特別図柄変動開始スイッチによって入賞球が検出（図柄変動条件の契機）されると、図柄表示装置４３における表示領域５０の左，中，右特別図柄表示部で各特別図柄が変動を開始し、所定時間変動後、予め設定された順で特別図柄が変動停止して、停止図柄の組合せが確定表示される。なお、図柄変動パターン等によっては、特別図柄の確定表示以前に、いわゆるリーチ状態となったり、リーチ予告、当たり予告等が行われる。そして、前記確定表示された停止図柄の組合せが、予め決められた特別図柄組合せである特定の大当たり図柄組合せ、例えば、同一の特別図柄の組合せからなる通称ぞろ目であると、大当たり状態（特別遊技状態）に移行する。大当たり状態になると、大入賞装置１５の開閉板が開いて遊技領域６表面を落下してくる遊技球を受け止め、大入賞装置１５内へ入賞可能にする。
【００２３】
ここで、リーチ状態とは、表示領域５０の左，中，右特別図柄表示部において、特別図柄の変動表示が開始された後、表示制御が進行して表示結果が停止表示される前段階において、特定の表示態様、つまり大当たり図柄の組合せ（同一図柄の組合せ）が表示されやすい可変表示態様となったと遊技者に思わせるための表示態様をいう。この実施例では、リーチ状態の１つとして、前記表示領域５０の左，中，右特別図柄表示部のうち、最終停止図柄（ここでは右特別図柄）を表示する表示部（ここでは右特別図柄表示部）だけを残して、残りの２つの表示部で図柄が特定の組合せ（例えば同一図柄）となるように仮停止するリーチ変動表示処理がなされている。
【００２４】
また、リーチ状態時には、表示領域５０における特別図柄（主に最終停止特別図柄）の変動時間を長くしたり、表示領域５０における特別図柄を利用した図柄利用演出や特別図柄の背後に表示されるキャラクタや背景等を表示してリーチアクションが演出される。なお、リーチ状態になる前に、リーチ状態になる可能性または大当たりになる可能性が高いことを報知する予告（予兆）が演出されるようにしてもよい。前記の予告としては、表示領域５０上へのキャラクタの表示や残像表示等が挙げられる。
【００２５】
遊技盤３の大入賞装置１５の背面側には、大入賞装置１５への入賞球を検出する入賞球検出スイッチが設けられている。前記各入賞口への遊技球の入賞を各検出スイッチが検出するとき、すなわち遊技における入賞条件が成立すると、賞球払出装置によって、入賞球数に応じて予め設定されている所定数の遊技球が賞品球として払い出される。開閉板は、所定時間（例えば３０秒）経過した時点で閉鎖される。これにより、遊技者はより多くの賞球を得ることができる。一連の遊技は特別遊技（大当たり遊技）であり、その状態は特別遊技状態である。
【００２６】
前記した入賞口用検出スイッチの他に遊技盤背面に設けられている装置としては、始動入賞口１０の可動片を開閉する始動入賞口用ソレノイドと、大入賞装置１５の開閉板を開閉する大入賞口開放用ソレノイド等があり、普通図柄変動開始用ゲート１９，２１には通過する遊技球を検出するゲート検出スイッチがある。
【００２７】
普通図柄変動開始スイッチでゲート１９，２１を通過する遊技球を検出することによって、普通図柄表示部における普通図柄の変動は開始する。そして、普通図柄表示部において図柄変動した後に確定表示された図柄が予め設定されている特定の図柄であった場合には、小当たり（普通図柄当たり）となり、始動入賞口用ソレノイドにより始動入賞口１０の可動片の拡開開放が後記する所定時間行われ、賞球が払い出される。普通図柄の変動を開始する回数については、現在変動中のものを除いて保留回数（この例では最高４回）を普通図柄変動数記憶領域に表示するようになっている。
【００２８】
この遊技機１は、図１〜７に示すように、遊技台３上を水平方向に一側から他側へ往復移動する可動部材１１０と、可動部材１１０を移動させる駆動手段１２０と、可動部材１１０の接続部１１５と遊技台２の接続部１０５とを接続する配線部材１３０とを有する可動役物１００を備える。図中の符号２Ａは図柄表示装置４３を取り付けるために遊技台２に形成された開口部、１０１は遊技台２に設けられた基板である。なお、遊技台２の接続部１０５は基板１０１に設けられている。
【００２９】
可動部材１１０は、遊技の演出を実行するための役物であって、図３，４に示すように、可動部材本体１１１と、可動部材本体１１１を遊技台３上で水平方向に一側から他側へ往復移動させるための摺動バー１１３とを有する。実施例の可動部材本体１１１は、遊技盤３の盤面に対して平行にスライド移動することにより、表示領域５０の前面側を開閉する一対の扉体である。また、接続部１１５は、扉体である可動部材本体１１１の裏面側等に適宜設けられ、実施例では、図５，６に示すように、可動部材本体１１１の下部に形成されている。図において、符号１１２は可動部材本体１１１上部に設けられて摺動バー１１３を把持して摺動可能な摺動部、１１４は可動部材１１０の下部前面側に架設されて可動部材１１０を遊技機１の前面側への移動を抑制する抑制部材、１１６は可動部材本体１１１下部あるいは接続部１１５から遊技盤３に対して下方に延設されて可動部材１１０の移動時に一体となって水平方向へ移動するとともに後述する配線部材１３０の第一の固定部１３１が固定される配線固定板である。
【００３０】
駆動手段１２０は、図３，４に示すように、モータ等の駆動源１２１を用いて可動部材１１０を機械的に移動させる適宜の機構からなる。実施例の駆動手段１２０は、ステッピングモータ等の公知の回転駆動装置からなる駆動源１２１と、可動部材１１０の摺動部１１２と一体に形成されたラック部１２２と、駆動源１２１により回転動作を行いラック部１２２と噛合するピニオン部１２３とを有し、ラック部１２２とピニオン部１２３とが噛合することで駆動源１２１の回転力を直線方向の移動に変換するラックアンドピニオン機構によって構成されている。
【００３１】
配線部材１３０は、図３〜図７に示すように、第一の固定部１３１と、第二の固定部１３２と、円弧状折返部１３３とを形成するとともに、可動部材１１０の接続部１１５と遊技台２の接続部１０５とを接続し、基板１０１等からの適宜の信号を可動部材１１０側へ伝達可能とするものである。配線部材１３０は、適宜の信号が伝達可能、かつ、可動部材１１０の移動時に可動部材１１０と基板１０１との接続状態が解除されないように十分に余裕を持たせた長さで構成されたものであれば、材質や形状等は特に限定されない。実施例では、フレキシブルフラットケーブルが用いられている。各図において、符号１３５は可動部材１１０の移動方向に対して平行方向に延設されて後述する配線部材１３０の第一の固定部１３１が収容される配線収容溝部、１３６は配線収容溝部１３５に収容された配線部材１３０の第二の固定部１３２の浮き上がりを抑制する配線抑制部である。なお、図７の紙面上側は遊技盤３の前面方向、紙面下側は遊技盤３の後面方向に相当し、以下図７における上方とは紙面上方、すなわち遊技盤３に対して前面方向、下方とは紙面下方、すなわち遊技盤３に対して後面方向であることを示す。
【００３２】
第一の固定部１３１は、図５〜図７に示すように、可動部材１１０側に固定された部分である。実施例では、配線収容溝部１３５上方の可動部材１１０の配線固定板１１６に固定されており、この固定部分から配線固定板１１６上を可動部材１１０の接続部１１５へ向けて略直角に折り返して接続されている。また、第一の固定部１３１では、配線固定板１１６に固定された部分から配線収容溝部１３５の長さ方向と同一方向に延出されている。
【００３３】
第二の固定部１３２は、図５〜図７に示すように、遊技台２側に固定されて後述する可動部材１１０の移動時における配線部材１３０の円弧状折返部１３３に関与しない部分であり、端部が遊技台２の接続部１０５に接続されて、配線抑制部１３６によって接続部１０５から延出した部分が浮き上がらないように抑制されている。なお、符号１３２Ａは第二の固定部１３２と円弧状折返部１３３との間の配線抑制部１３６に抑制されていない自由延設部である。
【００３４】
円弧状折返部１３３は、図５〜図７に示すように、第一の固定部１３１と第二の固定部１３２との間の部分であり、配線部材１３０を上方へ折り返して両端を第一の固定部１３１と第二の固定部１３２とで固定することによって形成される。なお、円弧状折返部１３３は、実施例のようにフレキシブルフラットケーブルを用いることによって、配線部材１３０の横ずれ等を抑制して折り返すことが容易となる。
【００３５】
上記配線部材１３０は、図７に示すように、可動部材１１０の移動時には円弧状折返部１３３を介して可動部材１１０の移動方向に対して平行方向に移動するように配置されているとともに、円弧状折返部１３３の第一の固定部１３１側への拡大を規制する規制部材１４０が形成されている。
【００３６】
規制部材１４０は、円弧状折返部１３３の第一の固定部１３１側への拡大を規制することが可能であれば、形状や大きさ等は特に限定されないが、実施例では、図５〜図７に示すように、第一の固定部１３１を被覆して円弧状折返部１３３の第一の固定部１３１側への拡大を規制する天板部１４１を有しており、配線固定板１１６に固定された配線部材１３０の第一の固定部１３１に取り付けられて、配線固定板１１６とともに第一の固定部１３１を挟み込んでいる。この規制部材１４０は、第一の固定部１３１の固定部分に相当する配線固定板１１６とともに平行移動するため、比較的小さな部材で形成しても常時第一の固定部１３１を被覆することが可能となり、規制部材１４０の設置スペースの省スペース化を図ることができる。また、規制部材１４０の天板部１４１は、第一の固定部１３１へ向けて下り傾斜した傾斜状規制部１４２を有しているため、規制部材１４０を小さな部材で形成した場合でも円弧状折返部１３３の拡大を効果的に規制することができる。
【００３７】
次に、可動部材１１０の移動に伴う配線部材１３０の移動状態について説明する。まず、図３，５及び図７（ａ）に示すように、可動部材本体１１１が扉体である可動部材１１０が開状態である場合、可動部材本体１１１は遊技機１（遊技台２）の側方に位置しており、その下部の接続部１１５から延設された配線固定板１１６は遊技機１（遊技台２）の側方かつ配線収容溝部１３５の上方に配置される。ここで、配線部材１３０では、第二の固定部１３２が遊技台２の接続部１０５から遊技台２の側方へ延出されて配線抑制部１３６によって配線収容溝部１３５内に収容されており、遊技台２の側方において上方へ折り返された円弧状折返部１３３ａを介して第一の固定部１３１が配線固定板１１６に固定されてその第一の固定部１３１から略直角に折り曲げて接続部１１５へと接続されている。
【００３８】
図７（ｂ）に示すように、可動部材１１０が開状態から閉状態へ移動する場合、可動部材本体１１１が遊技台２の側方から中央方向へ移動するのに伴って、配線固定板１１６は遊技台２の中央方向へ配線収容溝部１３５の上方をその長さ方向に沿って移動される。その際、配線部材１３０では、第二の固定部１３２が配線抑制部１３６によって遊技台２側へ固定されていることにより、自由延設部１３２Ａの遊技台２の側方側の部分から順次上方へ折り返されて拡大された円弧状折返部１３３ｂを介して第一の固定部１３１が配線固定板１１６とともに遊技台２の中央方向、すなわち、可動部材１１０の移動方向に対して平行方向へ移動される。また、拡大された円弧状折返部１３３ｂは、第一の固定部１３１の移動に伴って遊技台２の中央方向へ移動しつつ拡大される一方、規制部材１４０によって第一の固定部１３１側への拡大が規制される。特に、傾斜状規制部１４２により、円弧状折返部１３３の拡大方向が第一の固定部１３１の反対側（遊技台２の側方側）となるように規制されるため、円弧状折返部１３３の拡大を効果的に規制することができる。
【００３９】
続いて、図４，６及び図７（ｃ）に示すように、可動部材１１０が閉状態である場合、可動部材本体１１１は遊技台２略中央に位置しており、配線固定板１１６も同様に遊技台２略中央、すなわち、基板１０１（接続部１０５）の上方に配置される。その際、配線部材１３０では、自由延設部１３２Ａが継続して順次上方へ折り返されてさらに拡大された円弧状折返部１３３ｃを介して第一の固定部１３１が配線固定板１１６とともに遊技台２の略中央位置へ配置される。また、円弧状折返部１３３ｃは、前記と同様に、規制部材１４０の天板部１４１や傾斜状規制部１４２によって第一の固定部１３１側への拡大が規制されるため、遊技台２の側方側へと拡大されて上方への拡大が抑制される。
【００４０】
一方、可動部材１１０が閉状態から開状態へ移動する場合、可動部材本体１１１が遊技台２の略中央位置から側方へ移動するのに伴って、配線固定板１１６は遊技台２の略中央位置から側方へ配線収容溝部１３５の上方をその長さ方向に沿って移動される。その際、配線部材１３０では、遊技台２の中央側の部分から順次自由延設部１３２Ａへと戻されて遊技台２の側方へ移動し縮小された円弧状折返部１３３を介して第一の固定部１３１が配線固定板１１６とともに遊技台２の側方、すなわち、可動部材１１０の移動方向に対して平行方向へ移動される。以後、同様の作動が繰り返される。
【００４１】
このように、可動部材１１０の移動時に拡大する配線部材１３０の円弧状折返部１３３が規制部材１４０に当接することで第一固定部１３１側への拡大が規制されるため、円弧状折返部１３３の上方への拡大を抑制することができる。従って、配線部材１３０に余剰部分が生じた場合であっても、配線収容溝部１３５側へ抑制して可動部材１１０等の他の部材と接触することを容易に回避することができる。また、可動部材１１０の移動時に配線部材１３０は可動部材１１０の移動方向に対して平行方向へ移動する構成であるため、可動部材１１０が移動しても配線部材１３０が他の部材に引っ掛かる等して破損してしまうことを抑制することができる。さらに、配線部材１３０は第一の固定部で一旦固定された状態から略直角に折り曲げて接続部１１５へ接続されているため、配線部材１３０や配線収容溝部１３５の配置と可動部材１１０との配置がどのような位置関係であっても、可動部材１１０の移動時に配線部材１３０は可動部材１１０の移動方向に対して平行方向へ移動する構成とすることができる。
【００４２】
以上図示し説明したように、本発明の遊技機１では、遊技台２上を水平方向に一側から他側へ往復移動する可動部材１１０と、可動部材１１０を移動させる駆動手段１２０と、可動部材１１０の接続部１１５と遊技台２の接続部１０５とを接続する配線部材１３０とを有し、配線部材１３０は可動部材１１０側に固定された第一の固定部１３１と、遊技台２側に固定された第二の固定部１３２と、第一の固定部１３１と第二の固定部１３２との間の円弧状折返部１３３とを形成するとともに可動部材１１０の接続部１１５と遊技台２の接続部１０５とを接続し、可動部材１１０の移動時には円弧状折返部１３３を介して可動部材１１０の移動方向に対して平行方向に移動するように配置されているとともに、配線部材１３０の円弧状折返部１３３の第一の固定部１３１側への拡大を規制する規制部材１４０が形成されているため、可動部材を移動させた際には円弧状折返部１３３の第一固定部１３１側への拡大を規制して上方への拡大を抑制することができる。これにより、可動部材を移動させた際に配線部材１３０の他の部材との接触を容易に回避することができ、配線部材１３０が破損する不具合を抑制することができる。
【００４３】
また、配線部材１３０の第二の固定部１３２が可動部材１１０の移動時における配線部材１３０の円弧状折返部１３３に関与しない部分であることにより、配線部材１３０が移動する際の円弧状折返部１３３の変形を整然と行うことができ、配線部材１３０の絡まり等の不具合の発生を抑制することができる。
【００４４】
さらに、第一の固定部１３１に規制部材１４０を取り付けるようにすれば、可動部材１１０の移動時に規制部材１４０が第一の固定部１３１の固定部分とともに移動可能となるため、規制部材１４０を小型に形成することが可能となり、規制部材１４０の設置スペースの省スペース化を図ることができる。加えて、上記規制部材１４０に第一の固定部へ向けて下り傾斜した傾斜状規制部１４２を設ければ、円弧状折返部１３３の拡大方向を第一の固定部１３１の反対側（遊技台２の側方側）となるように規制可能となり、規制部材１４０を小型に形成した場合でも円弧状折返部１３３の拡大を効果的に規制することができる。
【００４５】
なお、本発明の遊技機は、前述の実施例のみに限定されるものではなく、発明の趣旨を逸脱しない範囲において構成の一部を適宜に変更して実施することができる。例えば、実施例では、規制部材を比較的小さな部材で形成して第一の固定部に取り付けることで第一の固定部の固定部分とともに平行移動可能として常時配線部材の第一の固定部を被覆するように構成したが、図８に示すように、配線部材１３０の移動範囲全体に亘って被覆可能な板状の規制部材１４０Ａとすることもできる。この規制部材１４０Ａでは、配線部材１３０がどの位置にあっても確実に被覆することが可能であるため、より効果的かつ確実に円弧状折返部１３３の拡大を抑制することができる。
【符号の説明】
【００４６】
１    遊技機
２    遊技台
３    遊技盤
１００    可動役物
１０５    接続部
１１０    可動部材
１１５    接続部
１２０    駆動手段
１３０    配線部材
１３１    第一の固定部
１３２    第二の固定部
１３３    円弧状折返部
１４０    規制部材
【要約】
【課題】可動部材を移動させた際に接続された配線部材が破損する不具合を抑制することができる遊技機を提供する。
【解決手段】遊技台２上を水平方向に往復移動する可動部材１１０と、可動部材１１０を移動させる駆動手段１２０と、可動部材１１０の接続部１１５と遊技台２の接続部１０５とを接続する配線部材１３０とを有し、配線部材１３０は可動部材１１０側に固定された第一の固定部１３１と、遊技台２側に固定された第二の固定部１３２と、第一の固定部１３１と第二の固定部１３２との間の円弧状折返部１３３とを形成するとともに可動部材１１０の接続部１１５と遊技台２の接続部１０５とを接続し、可動部材１１０の移動時には円弧状折返部１３３を介して可動部材１１０の移動方向に対して平行方向に移動するように配置されているとともに、配線部材１３０の円弧状折返部１３３の第一の固定部１３１側への拡大を規制する規制部材１４０が形成されている。
【選択図】図５【図１】
0005406352.tif 000002
【図２】
0005406352.tif 000003
【図３】
0005406352.tif 000004
【図４】
0005406352.tif 000005
【図５】
0005406352.tif 000006
【図６】
0005406352.tif 000007
【図７】
0005406352.tif 000008
【図８】
0005406352.tif 000009